(57)【特許請求の範囲】
【請求項１】
パレット基台に棚構成部材を設けたパレットにおいて、
前記棚構成部材は、それぞれ長手方向に間隔を置いて配置された複数の棚材を備えた第１支柱及び第２支柱を有し、
第１支柱はその下端を前記パレット基台に回動可能に支持され、第１支柱と第２支柱とはそれらの長さ方向の中央部付近で回動可能に軸支されて構成され、第２支柱はその下端を前記基台上でスライド可能に構成され、
棚構成部材を略Ｘ字状に組み立てた起立状態、及び棚構成部材を略水平姿勢に重畳させた伏倒し状態に設置できるものとして構成されたパレット。
【請求項２】
前記棚構成部材は、パレット基台の中央線に沿って２組形成されていることを特徴とする請求項１に記載のパレット。
【請求項３】
前記第２支柱の下端部には前記パレット基台の表面を転動する転動体を設けたことを特徴とする請求項１又は請求項２に記載のパレット。
【請求項４】
前記第２支柱は、起立状態において、固定手段により前記パレット基台に固定される請求項１、請求項２又は請求項３に記載のパレット。
【請求項５】
固定手段は、ピンをパレット基台に設けた係止孔に挿入し、該ピンに設けた固定部材で前記第２支柱の下端部を固定する請求項４に記載のパレット。
【請求項６】
前記第１支柱及び第２支柱に設けられた棚材は、第１支柱及び第２支柱を伏倒し状態としたとき、両支柱に設けられた棚材は、設けられた支柱と異なる支柱に干渉しないよう設けられている請求項１に記載のパレット。
【請求項７】
前記パレット基台の隅部には、棚構成部材を起立状態としたときに対応する高位置、棚構成部材を伏倒し状態とした低位置の２つの状態にその高さ寸法を変えることができる柱部材が設けられており、高位置及び低位置の２つの状態において、柱部材上に他のパレット基台を載置し、パレットを積み重ねることできる請求項１に記載のパレット。
【請求項８】
前記柱部材は、パレット基台に立設された柱部材基部と、該柱部材基部に取外し又は伏倒し可能に取り付けられた柱部材延長部とから構成された請求項７に記載のパレット。
【発明の詳細な説明】
【０００１】
【発明の属する技術分野】
本発明はパレットに係り、特にパレット基台にサッシ形材等の長尺物を載置する棚構成部材を設けたパレットに関する。
【０００２】
【従来の技術】
従来、サッシ枠、障子を形成するサッシ形材を工場等で製造し、該サッシ形材を施工現場まで運搬し、施工現場でサッシ枠、障子を組み立てることが行なわれている。このような場合、長尺物であるサッシ形材は所定形材ごとに段ボール箱で梱包され、その段ボール箱をパレットに重ね合せて載置し施工現場まで運搬するようにしている。
【０００３】
前述のようにサッシ形材の輸送に段ボール箱使用すると、サッシ枠、障子の組立後には、段ボール箱は不要となり廃棄物として処理しなければならないこととなる。
【０００４】
また、サッシ形材を梱包した段ボールをパレットに積み重ね合せて載置すると、必要とするものがすぐに取り出せない場合があるし、取り出すべき順番に重ねて配置するようにすると積載に時間と手間がかかることとなる。このようなことを防止するために、従来架台に複数の棚を取り付けたパレットが提案されている。
【０００５】
また、上述の棚を設けたパレットでは、空のパレットを工場等に返送する際に積み込みスペースを必要とするほか、空のパレットを保管する場合に大きな保管スペースが必要となる。
【０００６】
そこで、保管スペースの拡大を解消するために棚を備えた伏倒し式のパレットが提案されている。このパレット１００は、図６に示すように、長方形状の架台１０１に２組の棚構成部材１０２を設けたものである。この例では、棚構成部材１０２を長手方向に間隔を置いて複数の棚材１２２を備えた第１支柱１２０と、長手方向に間隔を置いて複数の棚材１２２を備えた第２支柱１２１を有しているものである。
【０００７】
また、この例では、第１支柱１２０と第２支柱１２１は略山形状に架台１０１に支持されると共に、略水平姿勢として架台１０１に折り畳んで収納されるように上下方向に揺動自在としている（特開2001-180676号公報参照）。即ち、この例では、第１支柱１２０は、架台１０１に軸１０３で揺動可能に支持されると共に、第２支柱１２１は架台１０１に軸１０４で揺動可能に支持される。また、第１支柱１２０の先端には係合片１２３が設けられ、第２支柱の係止溝１２４が係合できるようになっている。この係合片１２３と係合溝１２４を係合した状態で、第１支柱１２０と第２支柱１２１とは架台１０１上に略山形に支持され、棚材１２２上に長尺物を載置する。そして、パレットに荷を載置しない状態では、係合片１２３と係合溝１２４の係合を解除して、第１支柱１２０及び第２支柱１２１をそれぞれの軸１０３及び軸１０４を中心として下方に揺動して架台１０１に配置して、伏倒し状態としてパレット１００を輸送し、保管する。
【０００８】
【発明が解決しようとする課題】
しかしながら、上述した従来のパレットは、棚構成部材の第１及び第２の支柱を立設状態としたり、伏倒し状態としたりするためには、２つの支柱をそれぞれ別々に移動させなければならず、組立操作性が良くないという問題がある。
【０００９】
そこで、本発明は操作性が良好である棚を備えた伏倒し式のパレットを提供することを目的とする。
【００１０】
【課題を解決するための手段】
上記の課題を解決するため本発明では、パレットを以下のように構成した。請求項1に記載の本発明は、パレット基台に棚構成部材を設けたパレットにおいて、前記棚構成部材は、それぞれ長手方向に間隔を置いて配置された複数の棚材を備えた第１支柱及び第２支柱を有し、また、第１支柱はその下端を前記パレット基台に回動可能に支持され、第１支柱と第２支柱とはそれらの長さ方向の中央部付近で回動可能に軸支されて構成され、第２支柱はその下端を前記基台上でスライド可能に構成され、棚構成部材を略Ｘ字状に組み立てた起立状態、及び棚構成部材を略水平姿勢に重畳させた伏倒し状態に設置できるものとして構成されたパレットである。
【００１１】
前記本発明によれば、第１支柱と、第２支柱とは軸支されており、起立状態及び伏倒し状態に設置できるため、長尺物を載置する必要があるときには、第１支柱と第２支柱とを略Ｘ字状態に組み立てて起立状態にして、長尺物を棚材に載置することができるほか、長尺物を下ろした際には、第１支柱と第２支柱とを重畳状態に倒して略水平状態としてパレットを低い高さとして輸送、保管することができる。また、本発明によれば、第１支柱及び第２支柱は、略Ｘ字状に組み立てられて構成されているので、棚構成部材を起立状態にしたり伏倒し状態にしたりする際、第１支柱と第２支柱とを一度に操作でき、取扱操作が容易である。
【００１２】
請求項２に記載の本発明は、請求項１に記載の棚構成部材は、パレット基台の中央線に沿って２組形成されているパレットである。
【００１３】
本発明によれば、棚構成部材は、パレット基台の中央線に沿って配置されているので、棚構成部材を挟む両側から長尺部材を搬入したり取り出したりすることができる。また、パレット基台の中央線に沿って２組形成されているので、長尺物は、２組の棚構成部材に安定して載置される。
【００１４】
請求項３に記載の本発明は、請求項１又は請求項２に記載の第２支柱の下端部には前記パレット基台の表面を転動する転動体を設けたパレットである。
【００１５】
請求項３に記載の本発明によれば、第２支柱の下端部には転動体を配置しているから、第２支柱の下端部は、パレット基台の表面を第２支柱の回動方向に沿って容易に移動できる。
【００１６】
請求項４に記載の本発明は、請求項１、請求項２又は請求項３に記載の第２支柱は、起立状態において、固定手段により前記パレット基台に固定されるパレットである。
【００１７】
請求項４に記載の本発明によれば、第２支柱は、起立状態において固定手段でパレット基台に固定されるため、棚構成部材は、起立状態において固定される。
【００１８】
請求項５に記載の本発明は、請求項４に記載の固定手段が、ピンをパレット基台に設けた係止孔に挿入し、該ピンに設けた固定部材で前記第２支柱の下端部を固定するパレットである。
【００１９】
請求項５に記載の本発明によれば、固定手段が単純であり、かつ確実に第２支柱をパレット基台に固定できる。
【００２０】
請求項６に記載の本発明は、請求項１に記載の第１支柱及び第２支柱に設けられた棚材は、第１支柱及び第２支柱を伏倒し状態としたとき、両支柱に設けられた棚材は、設けられた支柱と異なる支柱に干渉しないよう設けられているパレットである。
【００２１】
請求項６に記載の本発明によれば、第１支柱および第２支柱を伏倒し状態にしたとき、両支柱に設けられている棚材は、設けられた支柱と異なる支柱に干渉しないように設けられているから、第１支柱と第２支柱との伏倒し時の形態がかさばらないものとなる。
【００２２】
請求項７に記載の本発明は、請求項１に記載のパレット基台の隅部には、棚構成部材を起立状態としたときに対応する高位置、棚構成部材を伏倒した状態とした低位置の２つの状態にその高さ寸法を変えることができる柱部材が設けられており、高位置及び低位置の２つの状態において、柱部材上に他のパレット基台を載置し、パレットを積み重ねることできるパレットである。
【００２３】
請求項７に記載の本発明によれば、棚構成部材を起立状態として、積荷を載荷した状態においても、棚構成部材を伏倒し状態として、パレットを返送したり保管したりする状態においても、パレットを積み重ねることができ積載効率、輸送効率及び保管効率を高いものとすることができる。
【００２４】
請求項８に記載の本発明は、請求項７に記載の柱部材が、パレット基台に立設された柱部材基部と、該柱部材基部に取外し又は伏倒し可能に取り付けられた柱部材延長部とから構成されたパレットである。
【００２５】
請求項８に記載の本発明によれば、柱部材の構成を簡易なものとして構成することができる。
【００２６】
【発明の実施の形態】
以下本発明の実施の形態を説明する。図１乃至図５は本発明の実施の形態に係るパレット１０を示すものである。本例に係るパレット１０は、平面形状を長方形としたパレット基台１１と、このパレット基台１１の四隅に取外し可能に立設される荷保護用の柱２０と、パレット基台１１の長手に沿う軸線に沿って２組配設された棚構成部材３０とから構成される。そして、本例に係るパレット１０は、その棚構成部材３０を、図１乃至図３に示すように長尺物である荷４０を載置できる状態である立設位置と、図４及び図５に示すように、荷を載置しない状態である伏倒し状態に設定できる。
【００２７】
本例では、前記パレット基台１１には、その長辺側部及び短辺側部にフォークリフトのフォーク差込用孔１２、１３が開設されている他、四隅には、前記柱立設用の短柱１４が立設されている。この短柱１４には、柱２０固定用の長孔１５、固定溝１６，１７が形成されている。
【００２８】
また、本例では、柱２０は断面長方形状の中空部材で形成され、その正面（図１）には、前記長孔１５及び固定溝１６に係合されるピン２１，２２が、その側面（図２）には前記固定溝１７に係合されるピン２３が形成されている。
【００２９】
従って、本例では、柱２０は、パレット基台１１に立設された短柱１４に立設状態（図１乃至図３）及び取外し状態（図４及び図５）とすることができる。尚、この柱は取外すように構成するほか、パレット基台１１に対して伏倒しできるように構成することができる。
【００３０】
さらに、本例では、棚構成部材３０は、第１支柱３１と第２支柱３２とを備え、第１支柱３１の下端部がパレット基台１１の左右方向中間部における前後方向中央部に軸３５で軸支され、揺動自在に連結される。一方、第１支柱３１と第２支柱３２とはそれらの長さ方向の中央部付近で軸３６により回動可能に軸支され、２本の支柱３１，３２は略Ｘ字状をなすものとされる。
【００３１】
また、第２支柱はその下端にローラ３７が配置されており前記パレット基台１１上を容易にスライドできるものと構成されている。本例では、このローラ３７は、図１及び図３に示すように、第２支柱３２の下端に設けた軸３９の両端に回動自在に設けられており、第２支柱３２の下端をパレット基台１１の長手方向に円滑に案内する。本例では、パレット基台１１には、立設位置に置いて第２支柱３２の下端をパレット基台１１に固定する固定手段を設けるものとしている。この固定手段は、ピンをパレット基台１１にさし込み該ピンに設けた帯状の固定部材で前記第２支柱の下端部をパレット基台１１に固定するものである。なお、この固定手段としてはフック等他の構造を採用することができる。
【００３２】
さらに、第１支柱３１と第２支柱３２には丸棒状の棚材３３が長手方向に間隔を置いて略水平にそれぞれ設けてある。本例では、棚材３３は上下方向に４段にわたって設けてあるが、段数は任意に選定することができる。また、この棚材は、第１支柱３１および第２支柱３２が重畳状態のとき、２つの支柱３１，３２の間に挟まらないよう、各支柱３１，３２の外側となるよう考慮して配置されている。そして、棚材３３の左右側面には棒状の紐引掛部３８が長手方向に間隔をおいてそれぞれ設けてある。
【００３３】
したがって、結束した複数の長尺なサッシ形材４０を図１乃至図３に示すように、棚材３３間に跨って載置できる。
【００３４】
前述のように、棚材３３に載置した複数のサッシ形材４０は、ゴムなどの伸縮する紐状体を紐引掛部３８に引掛けながらサッシ形材４０と棚材３３に巻きつけることで締結される。これによって、サッシ形材は棚材３３の上側にしっかりと固定されるので、運搬中の振動などでサッシ形材４０ががたついたり、落下したりすることがない。なお、棚材３３にゴム、軟質樹脂などのクッション材を設けても良い。
【００３５】
この際、柱２０をパレット基台１１に立設された短柱１４に立設した状態において、柱２０によりサッシ形材４０を保護することができるほか、図１に仮想線で示したように、立設した柱２０の上に他のパレット１０を積み重ねて配置することができ、パレット１０の積載効率を高いものとすることができる。なお、上記の実施の形態では、棚構成部材をパレット基台上に2組設けるようにしたが、棚構成部材を１組あるいは3組以上設けるようにしても差し支えない。
【００３６】
また、本例に係るパレット１０は、第２支柱３２の下端をパレット基台１１に固定している固定手段を解除し、第１支柱３１を垂直方向に揺動させるとともに、ローラ３７をパレット基台１１上で回動させつつ、第２支柱３２の下端をパレット基台１１上で軸３５の方向にスライドさせ、第１支柱３１、第２支柱３２を下方に向け揺動させて図４及び図５に示すように伏せて略水平姿勢として重畳して収納できる。また、この際、パレット基台１１上に立設していた柱２０を取外し、パレット基台１１上に載置することにより、空のパレットを運搬、保管する場合に図５に仮想線で示したように複数のパレット１０を重ね合せることができる。
【００３７】
【発明の効果】
請求項１に記載の本発明によれば、第１支柱と、第２支柱とは軸支されており、起立状態及び伏倒し状態に設置できるため、長尺物を載置する必要があるときには、第１支柱と第２支柱とを起立状態にして、長尺物を棚材に載置することができるほか、長尺物を下ろした際には、第１支柱と、第２支柱とを重畳状態に倒して略水平状態で、低い高さとして輸送、保管することができる。また、本発明によれば、第１支柱及び第２支柱は、略Ｘ字状に組み立てられて構成されているので、棚構成部材を起立状態にしたり伏倒し状態にしたりする際、第１支柱と第２支柱とを一度に操作でき、取扱操作が容易である。
【００３８】
請求項２に記載の本発明によれば、棚構成部材は、パレット基台の中央線に沿って配置されているので、棚構成部材を挟む両側から長尺部材を搬入したり取り出したりすることができる。また、パレット基台の中央線に沿って２組形成されているので、長尺物は、２組の棚構成部材に安定して載置される。
【００３９】
請求項３に記載の本発明によれば、第２支柱の下端部には転動体を配置しているから、第２支柱の下端部は、パレット基台の表面に沿って容易に移動できる。
【００４０】
請求項４に記載の本発明によれば、第２支柱は、起立状態において固定手段でパレット基台に固定されるため、棚構成部材は起立状態において固定される。
【００４１】
請求項５に記載の本発明によれば、固定手段が単純であり、かつ確実に第２支柱をパレット基台に固定できる。
【００４２】
請求項６に記載の本発明によれば、第１支柱および第２支柱を伏倒し状態にしたとき、両支柱に設けられている棚材は、設けられた支柱と異なる支柱に干渉しないように設けられているから、第１支柱と第２支柱との伏倒し時の形態がかさばらないものとなる。
【００４３】
請求項７に記載の本発明によれば、棚構成部材を起立状態として、積荷を載荷した状態においても、棚構成部材を伏倒し状態として、パレットを返送したり保管したりする状態においても、パレットを積み重ねることができ積載効率、輸送効率及び保管効率を高いものとすることができる。
【００４４】
請求項８に記載の本発明によれば、柱部材の構成を簡易なものとして構成することができる。
【図面の簡単な説明】
【図１】  本発明の実施の形態に係るパレットの起立状態を示す正面図である。
【図２】  本発明の実施の形態に係るパレットの起立状態を示す側面図である。
【図３】  本発明の実施の形態に係るパレットの起立状態を示す平面図である。
【図４】  本発明の実施の形態に係るパレットの伏倒し状態を示す正面図である。
【図５】  本発明の実施の形態に係るパレットの伏倒し状態を示す側面図である。
【図６】  従来のパレットを示す正面図である。
【符号の説明】
１０  パレット
１１  パレット基台
１２  フォーク差込用孔
１３  フォーク差込用孔
１４  短柱
１５  長孔
１６  固定溝
１７  固定溝
２０  柱
２１  ピン
２２  ピン
２３  ピン
３０  棚構成部材
３１  第１支柱
３２  第２支柱
３３  棚材
３５  軸
３６  軸
３７  ローラ
３８  紐引掛部
３９  軸
４０  サッシ形材（荷）
【図１】
0004014829.tif 000002
【図２】
0004014829.tif 000003
【図３】
0004014829.tif 000004
【図４】
0004014829.tif 000005
【図５】
0004014829.tif 000006
【図６】
0004014829.tif 000007